(57)【要約】【課題】防水対応型のスピーカマイクもしくは防水未対応型のスピーカマイクの何れのスピーカマイクが接続されているかを自動的に検出して、無線通信機をそれに適した設定に自動的に変更する機能の実現。【解決手段】本発明にかかる無線通信機においては、出力信号が低レベルである防水対応型のスピーカマイク１ａもしくは出力信号が高レベルである防水未対応型のスピーカマイク１ｂの何れかが接続される無線通信機ＴＲにおいて、接続されたスピーカマイクの出力信号のレベルが高レベルであるか低レベルであるかを判定する判定手段と、出力信号が低レベルであるときには、マイクアンプのゲインを高く設定し、出力信号が高レベルであるときには、マイクアンプのゲインを低く設定する設定手段を設けた。【選択図】　　　　　　図１
2004080596.tif 000002
【特許請求の範囲】
【請求項１】
出力信号が低レベルである防水対応型のスピーカマイクもしくは出力信号が高レベルである防水未対応型のスピーカマイクの何れかが接続される無線通信機において、
接続されたスピーカマイクが防水対応型か防水未対応型であるかを判定する判定手段と、
接続されたスピーカマイクが防水対応型であると判定したときには、無線通信機の設定を、防水対応型のスピーカマイクに適した条件に設定し、
接続されたスピーカマイクが防水未対応型であると判定したときには、無線通信機の設定を、防水未対応型のスピーカマイクに適した条件に設定する設定手段と、
を備えたことを特徴とする無線通信機。
【請求項２】
設定手段は、無線通信機の変調度を、当該無線通信機に接続されたスピーカマイクの出力信号のレベルに適したものに設定するものとしたことを特徴とする請求項１に記載の無線通信機。
【発明の詳細な説明】
【０００１】
【発明の属する技術分野】
本発明は、無線通信機に、防水対応型／防水未対応型のいずれのスピーカマイクを接続しても、音声入力のゲイン調整、変調度の変更等の操作を不要とする技術に関するものである。
【０００２】
【従来の技術】
従来より、携帯用無線通信機等には、オプション品（付属品）として、スピーカマイクが用意されていることが多くある。
また、スピーカマイクにも、防水対応型／防水未対応型や、ＶＯＸ機能対応型／ＶＯＸ機能未対応型など、数種類ある。
中でも、防水対応型／防水未対応型では、内蔵回路への入力感度が大きく異なり、無線通信機自体に入力される音声信号も大きく異なっていた。
【０００３】
【発明が解決しようとする課題】
そのため、ユーザが、防水対応型／防水未対応型のスピーカマイクの使用に応じて、音声入力のゲイン調整、変調度の変更等の操作が必要であり、非常に煩わしかった。
【０００４】
そこで、本発明は、防水対応型のスピーカマイクもしくは防水未対応型のスピーカマイクの何れのスピーカマイクが接続されているかを自動的に検出して、無線通信機をそれに適した設定に自動的に変更する機能の実現を目的としてなされたものである。
【０００５】
【課題を解決するための手段】
本発明にかかる無線通信機においては、
出力信号が低レベルである防水対応型のスピーカマイクもしくは出力信号が高レベルである防水未対応型のスピーカマイクの何れかが接続される無線通信機において、
接続されたスピーカマイクが防水対応型か防水未対応型であるかを判定する判定手段と、
接続されたスピーカマイクが防水対応型であると判定したときには、無線通信機の設定を、防水対応型のスピーカマイクに適した条件に設定し、
接続されたスピーカマイクが防水未対応型であると判定したときには、無線通信機の設定を、防水未対応型のスピーカマイクに適した条件に設定する設定手段と、
を備えるという手段を講じた。
【０００６】
請求項２の発明においては、
設定手段は、無線通信機の変調度を、当該無線通信機に接続されたスピーカマイクの出力信号のレベルに適したものに設定するようにした。
【０００７】
以上の構成によって、
請求項１の発明では、接続されたスピーカマイクの出力信号のレベルが低レベルであるときには、接続されたスピーカマイクが防水対応型であると判定し、無線通信機の設定を、防水対応型のスピーカマイクに適した条件に設定し、出力信号が高レベルであるときには、接続されたスピーカマイクが防水未対応型であると判定し、無線通信機の設定を、防水未対応型のスピーカマイクに適した条件に設定するので、面倒な操作をすることなく、それぞれのスピーカマイクに適した設定になる。
【０００８】
そして、請求項２の発明では、面倒な操作をすることなく、それぞれのスピーカマイクに適した変調度に設定される。
【０００９】
【発明の実施の形態】
以下に、本発明にかかる無線通信機を、その実施の形態を示した図面に基づいて詳細に説明する。
【００１０】
図１において、
ＴＲは携帯用の無線通信機であり、筐体内に内部マイク４ａを備えている。１ａは外部マイクとしての防水対応型のスピーカマイク、１ｂは外部マイクとしての防水未対応型のスピーカマイクである。これらの外部マイク４ｂのプラグ４１ｂを、前記無線通信機ＴＲのマイク接続部に差し込むことによって、内部マイク４ａから外部マイク４ｂに切り換えて使用することができる。
そして、前記無線通信機ＴＲは、後述するように接続されているスピーカマイクが防水対応型か防水未対応型であるかを検出して、無線通信機をそれぞれに適した設定にするのである。
【００１１】
次に、前記無線通信機ＴＲと、防水対応型のスピーカマイク１ａと、防水未対応型のスピーカマイク１ｂの構成例を説明する。
図２はスピーカマイク周辺の回路図の例であり、防水対応型のスピーカマイクも防水未対応型のスピーカマイクの回路図は同じである。
図２においては、スピーカマイクのユニット部１と無線通信機ＴＲの内部回路とを、ケーブル３を介してコネクタ部２によって接続するように構成した例を示している。即ち、図２においては、図１のプラグ４１ｂに代えてコネクタ部２を用いた例を示した。
【００１２】
ユニット部１は、マイクエレメント１１と、ＰＴＴスイッチ１２と、スピーカ１３と、必要な回路１４とを備えている。
コネクタ部２は、例えば端子数９のコネクタ２１を備え、このコネクタ２１の第２端子２１２、第６端子２１６、第７端子２１７、第９端子２１９は、プラグ４１ｂとケーブル３を介して前記ユニット部１と接続されている。以下に、その接続例を説明する。前記コネクタ部２の第２端子２１２はインダクタを介して前記ユニット部１のマイクエレメント１１のプラス側端子に接続され、第７端子２１７は抵抗器Ｒｂを介して前記ユニット部１のＰＴＴスイッチ１２の一方の電極及び第６端子２１６と接続されている。なお、前記ユニット部１及び無線通信機ＴＲのＧＮＤラインは前記ＰＴＴスイッチ１２の状態にかかわらず常につながっている。
また、コネクタ２１の第６端子２１６と第９端子２１９はスピーカ１３と接続されている。
【００１３】
図３はスピーカマイクの要部の構造を説明する説明図であり、図３の（ａ）は防水対応型のスピーカマイク１ａの構造を示し、図３の（ｂ）は防水未対応型のスピーカマイク１ｂの構造を示している。
図３の（ａ）に示した防水対応型のスピーカマイク１ａにおいては、筐体１５とマイクエレメント１１との間に配設されたマイクシート１７ａに形成された多数の孔の目が細かいので、使用者の発した音声による振動エネルギーは大きく減衰して、マイクエレメント１１に伝わる。従って、マイクエレメント１１から出力される出力信号のレベルは小さいものとなる。
【００１４】
一方、図３の（ｂ）に示した防水未対応型のスピーカマイク１ｂにおいては、筐体１５とマイクエレメント１１との間に配設されたマイクシート１７ｂに形成された多数の孔の目が粗いので、使用者の発した音声による振動エネルギーは前記防水対応型のスピーカマイク程は減衰せずに、マイクエレメント１１に伝わる。従って、マイクエレメント１１から出力される出力信号のレベルは、防水対応型のスピーカマイクに比較して大きいものとなる。
【００１５】
また、図４に示した無線通信機の内部回路例のように、マイクから出力される出力信号の切り換え部４は、内部マイク４ａと外部マイク４ｂとを切り換えるマイク切り換えスイッチ５と、マイクからの出力信号のゲインを高低切り換えるゲイン切り換えスイッチ６とを備えている。
前記マイク切り換えスイッチ５によって、無線通信機本体に備えられている内部マイク４ａを使用するか、コネクタ２１に接続された外部マイク４ｂを使用するかを切り換える。
【００１６】
そして、コネクタ２１に接続される外部マイク４ｂは、防水対応型のスピーカマイクの場合と防水未対応型のスピーカマイクの場合がある。
前述したように、防水対応型のスピーカマイクの出力信号のレベルは、防水未対応型のスピーカマイクの出力信号のレベルより小さいので、前記ゲイン切り換えスイッチ６によって、両者のマイクのレベルが同等になるように調整するのである。前記ゲイン切り換えスイッチ６は、マイクアンプ６１の増幅度を切り換えることによって出力信号のレベルを調節するように構成されている。
前記マイク切り換えスイッチ５とゲイン切り換えスイッチ６は、後述する制御部７から出力されるマイク切り換え制御信号ＥＭＳＷとゲイン切り換え制御信号ＭＧＳＷによってそれぞれ制御される。
【００１７】
図５は、コネクタ２１に接続された外部マイクからの出力信号のレベルが高レベルであるか低レベルであるかを検出するための検出部８と、検出した結果に基づいて接続された外部マイクが防水対応型のスピーカマイクであるか、防水未対応型のスピーカマイクであるかを判定する制御部７の回路図である。
図５に示したように、無線通信機のコネクタ２１の第７端子２１７には＋５ボルトの電源ＶＤＤが抵抗器Ｒａを介して接続されている。そして、前記第７端子２１７の電圧ＶＤＥＴを検出部８を構成するＣＰＵのアナログ信号入力ポートＡＮによって検出するように構成されている。
【００１８】
そして、前記制御部７では、アナログ信号入力ポートＡＮによって検出した第７端子２１７の電圧ＶＤＥＴをしきい値と比較してマイクの出力信号のレベルを４段階に区分する。なお、前記抵抗器Ｒａ＝４７ＫΩ、抵抗器Ｒｂ＝２２ＫΩとすると、第７端子の電圧ＶＤＥＴ＝Ｖｄｄ×Ｒｂ／（Ｒａ＋Ｒｂ）で与えられる。
従って、上記抵抗値の場合には、次のような４段階に区分して、前記マイク切り換えスイッチとゲイン切り換えスイッチとを切り換える。
【００１９】
即ち、第７端子２１７の電圧ＶＤＥＴが０〜１．２Ｖの場合には、防水未対応型の外部スピーカマイクが接続されていると判断できるので、マイク切り換え制御信号ＥＭＳＷによって前記マイク切り換えスイッチ５を外部マイク側に切り換え、ゲイン切り換え制御信号ＭＧＳＷによってゲイン切り換えスイッチ６を低ゲイン側に切り換える。
そして、第７端子２１７の電圧ＶＤＥＴが１．２〜２．５Ｖの場合には、防水未対応型の内部スピーカマイクが接続されていると判断できるので、マイク切り換え制御信号ＥＭＳＷによって前記マイク切り換えスイッチ５を内部マイク側に切り換え、ゲイン切り換え制御信号ＭＧＳＷによってゲイン切り換えスイッチ６を低ゲイン側に切り換える。
【００２０】
そして、第７端子２１７の電圧ＶＤＥＴが２．５〜３．７Ｖの場合には、防水対応型の外部スピーカマイクが接続されていると判断できるので、マイク切り換え制御信号ＥＭＳＷによって前記マイク切り換えスイッチ５を外部マイク側に切り換え、ゲイン切り換え制御信号ＭＧＳＷによってゲイン切り換えスイッチ６を高ゲイン側に切り換える。
そして、第７端子２１７の電圧ＶＤＥＴが３．７〜５Ｖの場合には、防水対応型の内部スピーカマイクが接続されていると判断できるので、、マイク切り換え制御信号ＥＭＳＷによって前記マイク切り換えスイッチ５を内部マイク側に切り換え、ゲイン切り換え制御信号ＭＧＳＷによってゲイン切り換えスイッチ６を高ゲイン側に切り換える。
【００２１】
以上のようにして、第７端子２１７の電圧ＶＤＥＴが０〜２．５Ｖの範囲の場合には、外部マイクであっても内部マイクであっても、ゲイン切り換え制御信号ＭＧＳＷによってゲインを下げるように制御する。
従って、出力信号のレベルが高い防水未対応型のスピーカマイクを使っても適正な変調度が得られる。
そして、第７端子２１７の電圧ＶＤＥＴが２．５〜５Ｖの範囲の場合には、外部マイクであっても内部マイクであっても、ゲイン切り換え制御信号ＭＧＳＷによってゲインを上げるように制御する。
従って、出力信号のレベルが低い防水対応型のスピーカマイクを使っても適正な変調度が得られる。
【００２２】
なお、図１において例示した無線通信機ＴＲや外部マイク４ａの形状、図２において例示したスピーカマイクの周辺の構成や回路、図３において例示したスピーカマイクの構造、図４、図５において例示したは回路構成は、図示したものに限定されるものではない。例えば、抵抗器Ｒａ、抵抗器Ｒｂはユニット部１もしくは検出部８の何れに設けてもよい。また、他の手段でスピーカマイクの出力信号のレベルを検出してもよい。
また、＋５ボルトの電源ＶＤＤ、４７ＫΩの抵抗器Ｒａ、２２ＫΩの抵抗器Ｒｂ、４段階に区分するしきい値等は、以上の説明における値に限定されるものではない。
また、判定手段は、スピーカマイクの出力信号のレベルを検出する検出手段と、しきい値と比較してそのレベル範囲を判定する判定手段とから構成してもよい。
また、設定手段においては、ゲイン切り換えスイッチを制御するのみに限らず、接続されたマイクに適正な条件に設定するものであれば、変調部における設定を切り換えたり、音質を切り換えたりすることも含むものである。
そして、前記判定手段と設定手段とを一体化したり、さらに前記検出手段も一体化して、ワンチップマイコンで実現してもよい。
【００２３】
なお、図２に示した抵抗器Ｒｂ、図５に示した抵抗器Ｒａ、アナログ信号入力ポートＡＮを備えた検出部８、及び制御部７は、特許請求の範囲に記載された判定手段に対応し、図４に示したゲイン切り換えスイッチ６と図５に示した制御部７は、特許請求の範囲に記載された設定手段に対応している。
【００２４】
【発明の効果】
請求項１の発明によれば、判定手段によって、接続されたスピーカマイクが防水対応型のスピーカマイクであるか防水未対応型のスピーカマイクであるかを判定し、防水対応型であるときには、設定手段によって、無線通信機の設定を防水対応型のスピーカマイクに適した条件に設定し、防水未対応型であるときには、設定手段によって、無線通信機の設定を防水未対応型のスピーカマイクに適した条件に設定するので、スピーカマイクが防水対応型の場合も防水未対応型の場合も、面倒な操作を行うことなく、それぞれに適した条件で運用できる。
【００２５】
請求項２の発明によれば、設定手段によって、無線通信機の変調度を接続されたスピーカマイクの出力信号のレベルに適したものに設定するので、スピーカマイクの出力信号のレベルが低レベルの場合も高レベルの場合も、面倒な操作を行うことなく、それぞれに適した変調度で変調して運用できる。
従って、ユーザは、防水対応型／防水未対応型のスピーカマイクの使用に関わらず、音声入力のゲイン調整、変調度の変更等の操作が不要であるので、優れた操作性が得られる。
【図面の簡単な説明】
【図１】本発明にかかる無線通信機と外部スピーカの例の説明図である。
【図２】本発明に用いる一例のスピーカマイクの回路図である。
【図３】本発明に用いるスピーカマイクの要部の構造を説明する説明図である。
【図４】本発明にかかる無線通信機の要部の回路図である。
【図５】本発明にかかる無線通信機の要部の回路図である。
【符号の説明】
１　　ユニット部
１ａ　スピーカマイク
１ｂ　スピーカマイク
１１　　マイクエレメント
２　　コネクタ部
２１　　コネクタ
２１７　　　　第７端子
３　　ケーブル
４　　切り換え部
４ａ　内部マイク
４ｂ　外部マイク
５　　マイク切り換えスイッチ
６　　ゲイン切り換えスイッチ
７　　制御部
８　　検出部
ＴＲ　無線通信機
Ｒａ　抵抗器
Ｒｂ　抵抗器
ＡＮ　　アナログ信号入力ポート
Ｒａ、Ｒｂ、７、８　　判定手段
６、７　　　　　　　　設定手段
【図１】
2004080596.tif 000003
【図２】
2004080596.tif 000004
【図３】
2004080596.tif 000005
【図４】
2004080596.tif 000006
【図５】
2004080596.tif 000007